(57)【要約】【課題】  野外番組の中継など、通信状況が不安定な場合においても確実に複数の音声映像信号を多重することができる音声映像信号多重装置を提供する。【解決手段】  本発明に係るＭＰＥＧ２ ＴＳ多重装置１００（ＳＴＣ生成回路１１０）は、受信した音声映像信号（ＭＰＥＧ−２ ＴＳ）に含まれる第１のプログラム参照時刻情報（ＰＣＲ）の受信間隔が所定の時間以上となった場合、所定の時間経過後において最初に受信した第１のプログラム参照時刻情報に基づいて、システム基準時刻（ＳＴＣ）を生成し直す。【選択図】  図３
2005217659.tif 000002
【特許請求の範囲】
【請求項１】
複数の音声映像信号を受信するとともに、前記複数の音声映像信号を多重して、多重化音声映像信号を出力する音声映像信号多重装置であって、
前記音声映像信号に含まれる時刻情報である第１のプログラム参照時刻情報に基づいて、前記音声映像信号多重装置において用いられる時刻情報であるシステム基準時刻を生成するシステム基準時刻生成部と、
前記システム基準時刻生成部によって生成された前記システム基準時刻に基づいて、前記多重化音声映像信号に第２のプログラム参照時刻情報を付加するプログラム参照時刻付加部と
を備え、
前記システム基準時刻生成部は、前記第１のプログラム参照時刻情報の受信間隔が所定の時間以上となった場合、前記所定の時間経過後において最初に受信した前記第１のプログラム参照時刻情報に基づいて、前記システム基準時刻を生成し直すことを特徴とする音声映像信号多重装置。
【請求項２】
前記システム基準時刻生成部は、前記第１のプログラム参照時刻情報の値と前記システム基準時刻の値との差が所定の閾値以上となった場合、前記所定の閾値以上となった後において最初に受信した前記第１のプログラム参照時刻情報に基づいて、前記システム基準時刻を生成し直すことを特徴とする請求項１に記載の音声映像信号多重装置。
【請求項３】
前記システム基準時刻生成部は、前記所定の閾値以上となった回数が所定の回数以上となった場合、前記所定の回数以上となった後において最初に受信した前記第１のプログラム参照時刻情報に基づいて、前記システム基準時刻を生成し直すことを特徴とする請求項２に記載の音声映像信号多重装置。
【請求項４】
前記システム基準時刻生成部によって前記システム基準時刻が生成し直された場合、前記音声映像信号に含まれるプログラムに係る情報を示すプログラム対応テーブルのバージョンを更新するプログラム対応テーブル更新部をさらに備えることを特徴とする請求項１乃至３の何れか一項に記載の音声映像信号多重装置。
【発明の詳細な説明】
【技術分野】
【０００１】
本発明は、複数の音声映像信号を受信するとともに、当該複数の音声映像信号を多重して、多重化音声映像信号を出力する音声映像信号多重装置に関し、特に、ＭＰＥＧ−２のトランスポートストリーム信号を多重する音声映像信号多重装置に関する。
【背景技術】
【０００２】
従来、スタジオ内など、通信状況が安定している場所では、複数のＭＰＥＧ−２（Moving Picture Experts Group-2）のトランスポートストリーム信号（以下、ＭＰＥＧ−２ ＴＳという）を多重する音声映像信号多重装置（以下、単に多重装置と適宜省略する）が、既に実用化されている（例えば、特許文献１）。
【０００３】
このようなＭＰＥＧ−２ ＴＳの多重装置では、入力ＭＰＥＧ−２ ＴＳの伝送レートよりも、多重化されて出力される“多重化ＭＰＥＧ−２ ＴＳ”の伝送レートが高くなるため、入力ＭＰＥＧ−２ ＴＳに含まれているプログラム参照時刻（以下、ＰＣＲ（Program Clock Reference）という）に基づいて生成されるシステム基準時刻（以下、ＳＴＣ（System Time Clock）という）にしたがって、“多重化ＭＰＥＧ−２ ＴＳ”にＰＣＲをあらためて付加する必要がある。
【特許文献１】特開２００３−第７８９１３号公報
【発明の開示】
【発明が解決しようとする課題】
【０００４】
ところで、野外番組、例えば、マラソンなどのロードレースの中継についても、ディジタルＨＤＴＶ放送の普及などに伴い、放送される映像の高品質化が求められている。
【０００５】
野外番組の中継、例えば、上述したようなロードレースの中継では、ランナーなどを撮影するカメラなどを搭載した移動中継車と、ロードレースのコース近傍に臨時に配備された基地局との間や、当該基地局と、スタート・ゴール地点などに配備されたセンター基地局との間において、音声映像信号（ＭＰＥＧ−２ ＴＳ）を中継するために無線回線が用いられる。
【０００６】
したがって、野外番組の映像の高品質化に伴って増大する情報量を中継するためには、当該無線回線を効率的に利用することが必要となる。そこで、上述したような、従来のＭＰＥＧ−２ ＴＳの多重装置を野外番組の中継のために用いることが考えられる。
【０００７】
しかしながら、従来のＭＰＥＧ−２ ＴＳの多重装置を野外番組の中継に用いた場合、次のような問題があった。すなわち、野外番組の中継では、無線回線の状態に応じて、ＭＰＥＧ−２ ＴＳが瞬間的に切断される、いわゆる瞬断が頻繁に発生する。また、野外番組の中継では、カメラの電源の切断や再投入が頻繁に発生し、当該多重装置に入力されるＭＰＥＧ−２ ＴＳに含まれるＰＣＲ値が大幅に変動し得る。
【０００８】
つまり、野外番組の中継の場合、スタジオ内と比較して通信状況が不安定なため、従来のＭＰＥＧ−２ ＴＳの多重装置を野外番組の中継にそのまま用いた場合、放送される映像や音声にノイズが混入したり、ＰＣＲ値の変動によって、ＭＰＥＧ−２ ＴＳの復号器または当該多重装置が動作不能（ハングアップ状態）になったりするといった問題があった。
【０００９】
そこで、本発明は、以上の点に鑑みてなされたもので、野外番組の中継など、通信状況が不安定な場合においても確実に複数の音声映像信号を多重することができる音声映像信号多重装置を提供することを目的とする。
【課題を解決するための手段】
【００１０】
上述した課題を解決するにあたって、発明者等は、従来のＭＰＥＧ−２ ＴＳの多重装置を野外番組の中継に用いた場合における多重装置の状態を詳細に調査した。この結果、入力ＭＰＥＧ−２ ＴＳに含まれるＰＣＲ値が、多重装置が許容できる範囲を超えて変動すると、ＭＰＥＧ−２ ＴＳの復号器が動作不能となったり、多重装置が多重化された“多重化ＭＰＥＧ−２ ＴＳ”にＰＣＲを正常に付加することができなくなったりすることが判明した。
【００１１】
そこで、このような状況に鑑みて、本発明は、次のような特徴を有している。まず、本発明の第１の特徴は、複数の音声映像信号（例えば、ＭＰＥＧ−２ ＴＳ）を受信するとともに、前記複数の音声映像信号を多重して、多重化音声映像信号を出力する音声映像信号多重装置（ＭＰＥＧ２ ＴＳ多重装置１００）であって、前記音声映像信号に含まれる時刻情報である第１のプログラム参照時刻情報（ＰＣＲ）に基づいて、前記音声映像信号多重装置において用いられる時刻情報であるシステム基準時刻（ＳＴＣ）を生成するシステム基準時刻生成部（ＳＴＣ生成回路１１０，１５０）と、前記システム基準時刻生成部によって生成された前記システム基準時刻に基づいて、前記多重化音声映像信号に第２のプログラム参照時刻情報（ＰＣＲ）を付加するプログラム参照時刻付加部（ＰＣＲ付加部１１８，１１９）とを備え、前記システム基準時刻生成部が、前記第１のプログラム参照時刻情報の受信間隔が所定の時間（例えば、４００ｍｓ）以上となった場合、前記所定の時間経過後において最初に受信した前記第１のプログラム参照時刻情報に基づいて、前記システム基準時刻を生成し直すことを要旨とする。
【００１２】
かかる特徴によれば、受信した音声映像信号（ＭＰＥＧ−２ ＴＳ）に含まれる第１のプログラム参照時刻情報（ＰＣＲ）の受信間隔が所定の時間（例えば、４００ｍｓ）以上となった場合、所定の時間経過後において最初に受信した第１のプログラム参照時刻情報に基づいて、システム基準時刻（ＳＴＣ）が生成し直されるため、ＰＣＲ値の変動によってＭＰＥＧ−２ ＴＳの復号器や音声映像信号多重装置が正常に動作できなくなることが防止される。
【００１３】
ここで、システム基準時刻（ＳＴＣ）が生成し直されると、音声映像信号に瞬断を来たすため、ＭＰＥＧ−２ ＴＳの復号器などが動作不能となることを防止しつつ、システム基準時刻（ＳＴＣ）が生成し直される回数を低減する必要がある。
【００１４】
上述した本発明の第１の特徴によれば、システム基準時刻（ＳＴＣ）が生成し直されるタイミングは、第１のプログラム参照時刻情報（ＰＣＲ）の受信間隔が所定の時間以上となった場合のみであるため、ＳＴＣの生成し直しによって、音声映像信号の瞬断が無闇に発生することが抑制される。
【００１５】
本発明の第２の特徴は、本発明の第１の特徴において、複数の音声映像信号（例えば、ＭＰＥＧ−２ ＴＳ）を受信するとともに、前記複数の音声映像信号を多重して、多重化音声映像信号を出力する音声映像信号多重装置（ＭＰＥＧ２信号多重装置１００’）であって、前記音声映像信号に含まれる時刻情報である第１のプログラム参照時刻情報（ＰＣＲ）に基づいて、前記音声映像信号多重装置において用いられる時刻情報であるシステム基準時刻（ＳＴＣ）を生成するシステム基準時刻生成部（ＳＴＣ生成回路１１０’，１５０’）と、前記システム基準時刻生成部によって生成された前記システム基準時刻に基づいて、前記多重化音声映像信号に第２のプログラム参照時刻情報（ＰＣＲ）を付加するプログラム参照時刻付加部（ＰＣＲ付加部１１８，１１９）とを備え、前記システム基準時刻生成部が、前記第１のプログラム参照時刻情報の値と前記システム基準時刻の値との差が所定の閾値（例えば、１０μｓ）以上となった場合、前記所定の閾値以上となった後において最初に受信した前記第１のプログラム参照時刻情報に基づいて、前記システム基準時刻を生成し直すことを要旨とする。
【００１６】
かかる特徴によれば、第１のプログラム参照時刻情報（ＰＣＲ）の値と、システム基準時刻（ＳＴＣ）の値との差が、所定の閾値（例えば、１０μｓ）以上となった場合、所定の閾値以上となった後において最初に受信した第１のプログラム参照時刻情報に基づいて、システム基準時刻（ＳＴＣ）が生成し直されるため、ＰＣＲ値の変動によってＭＰＥＧ−２ ＴＳの復号器や音声映像信号多重装置が正常に動作できなくなることが防止される。
【００１７】
また、上述したように、システム基準時刻（ＳＴＣ）が生成し直されると、音声映像信号に瞬断を来たすため、ＭＰＥＧ−２ ＴＳの復号器などが動作不能となることを防止しつつ、システム基準時刻（ＳＴＣ）が生成し直される回数を低減する必要があるが、かかる特徴によれば、システム基準時刻（ＳＴＣ）が生成し直されるタイミングは、第１のプログラム参照時刻情報（ＰＣＲ）の値と、システム基準時刻（ＳＴＣ）の値との差が、所定の閾値以上となった場合のみであるため、ＳＴＣの生成し直しによって、音声映像信号の瞬断が無闇に発生することが抑制される。
【００１８】
本発明の第３の特徴は、本発明の第２の特徴において、前記システム基準時刻生成部が、前記所定の閾値以上となった回数が所定の回数（例えば、連続４回）以上となった場合、前記所定の回数以上となった後において最初に受信した前記第１のプログラム参照時刻情報に基づいて、前記システム基準時刻を生成し直すことを要旨とする。
【００１９】
かかる特徴によれば、第１のプログラム参照時刻情報（ＰＣＲ）の値とシステム基準時刻（ＳＴＣ）の値との差が所定の閾値以上となった回数が、所定の回数以上となった場合、所定の回数以上となった後において最初に受信した第１のプログラム参照時刻情報（ＰＣＲ）に基づいて、システム基準時刻が生成し直される。
【００２０】
このため、ＭＰＥＧ−２ ＴＳの復号器などが動作不能となることを防止しつつ、システム基準時刻（ＳＴＣ）が生成し直される回数をさらに低減させることができる。
【００２１】
本発明の第４の特徴は、本発明の第１乃至第３の特徴において、前記システム基準時刻生成部によって前記システム基準時刻が生成し直された場合、前記音声映像信号に含まれるプログラムに係る情報を示すプログラム対応テーブル（Program Map Table）のバージョンを更新するプログラム対応テーブル更新部（ＰＭＴバージョン更新部１２０）をさらに備えることを要旨とする。
【００２２】
かかる特徴によれば、システム基準時刻（ＳＴＣ）が生成し直された場合、プログラム対応テーブル（以下、ＰＭＴ（Program Map Table）という）のバージョン番号が更新（インクリメント）されるため、本発明に係る音声映像信号多重装置によって多重化された多重化音声映像信号を受信する通常のＭＰＥＧ−２ ＴＳ多重分離装置やＭＰＥＧ−２ ＴＳの復号器は、プログラム参照時刻情報を再ロードする。
【００２３】
このため、ＰＣＲ値の変動によってＭＰＥＧ−２ ＴＳの復号器や他の音声映像信号多重装置などが正常に動作できなくなることが防止される。
【発明の効果】
【００２４】
本発明によれば、野外番組の中継など、通信状況が不安定な場合においても確実に複数の音声映像信号を多重することができる音声映像信号多重装置を提供することができる。
【発明を実施するための最良の形態】
【００２５】
（中継システムの構成例）
本発明の実施形態について図面を参照しながら説明する。図１は、本実施形態に係る野外番組の中継システムの構成例を示している。
【００２６】
具体的には、図１は、マラソンなどのロードレースを中継する場合における中継システムの構成例を示している。同図に示すように、ロードレースのスタート・ゴール地点となるスタジアムＳＤの近傍には、センター基地局ＢＳ１が配備されている。
【００２７】
また、ロードレースのコースＣＵの近傍には、ランナーなどを撮影するカメラが搭載された移動中継車Ｃ１，Ｃ２と、無線回線を介して音声映像信号を中継する基地局ＢＳ２及び基地局ＢＳ３が配備されている。
【００２８】
このようなロードレースの中継は、一般的に生放送であるため、移動中継車Ｃ１，Ｃ２と、臨時に配備された基地局（ＢＳ１〜ＢＳ３）とを接続する無線回線が非常に重要となる。そこで、移動中継車Ｃ１，Ｃ２から送信されるＭＰＥＧ−２ ＴＳ（トランスポートストリーム信号）を確実に中継できるように、各基地局のカバレッジが、他の基地局のカバレッジと極力重なり合うように構成される。
【００２９】
同図に示すように、センター基地局ＢＳ１は、カバレッジＣＶ１を有している。また、基地局ＢＳ２は、カバレッジＣＶ２を有し、基地局ＢＳ３は、カバレッジＣＶ３ａ，ＣＶ３ｂを有している。例えば、カバレッジＣＶ１とカバレッジＣＶ２とは、互いに重なり合う領域を有し、同図では、当該領域内に移動中継車Ｃ１が位置している。同様に、カバレッジＣＶ２とカバレッジＣＶ３ａとは、互いに重なり合う領域を有し、同図では、当該領域内に移動中継車Ｃ２が位置している。
【００３０】
また、同図では、移動中継車Ｃ１は、無線回線ＲＬ１１を介してセンター基地局ＢＳ１と、無線回線ＲＬ１２を介して基地局ＢＳ２と、それぞれ接続することができる。さらに、移動中継車Ｃ２は、無線回線ＲＬ２１を介して基地局ＢＳ３と、無線回線ＲＬ２２を介して基地局ＢＳ２と、それぞれ接続することができる。
【００３１】
すなわち、移動中継車Ｃ１，Ｃ２は、複数の基地局と無線回線を介して接続され、同一のＭＰＥＧ−２ ＴＳを複数の基地局に対して送信することができる。
【００３２】
さらに、同図に示すように、無線回線ＲＬ１を介してセンター基地局ＢＳ１と基地局ＢＳ２とが接続され、無線回線ＲＬ２を介してセンター基地局ＢＳ１と基地局ＢＳ３とが接続されている。
【００３３】
また、センター基地局ＢＳ１では、移動中継車Ｃ１，Ｃ２から送信されたＭＰＥＧ−２ ＴＳについて、当該ＭＰＥＧ−２ ＴＳに含まれる音声及び映像情報をロードレースの展開に応じてスイッチングする処理や、スーパーインポーズを挿入する処理が実行される。さらに、当該処理が実行されたＭＰＥＧ−２ ＴＳは、無線または有線回線を介して放送局ＳＴに中継される。
【００３４】
放送局ＳＴでは、センター基地局ＢＳ１から中継されたＭＰＥＧ−２ ＴＳが、放送の方式に合わせた信号に必要により変換される。また、当該信号は、送信タワーＴＷから無線信号として視聴者に向けて送信される。
【００３５】
（中継システムの概略ブロック構成）
次に、図２を参照して、上述した中継システムの概略ブロック構成について説明する。同図に示すように、移動中継車Ｃ１は、カメラ（不図示）によって撮影された映像信号などをＭＰＥＧ−２ ＴＳに符号化するＭＰＥＧ２符号化器１１と、ＭＰＥＧ−２ ＴＳを、無線回線ＲＬ１１を介してセンター基地局ＢＳ１に送信するとともに、無線回線ＲＬ１２を介して基地局ＢＳ２に送信するＯＦＤＭ送信機２１とを備えている。同様に、移動中継車Ｃ２は、ＭＰＥＧ２符号化器１２と、無線回線ＲＬ２２を介してＭＰＥＧ−２ ＴＳを基地局ＢＳ２に送信するＯＦＤＭ送信機２２とを備えている。
【００３６】
なお、ＯＦＤＭ送信機２１，２２は、直交周波数分割多重方式（Orthogonal Frequency Division Multiplex）を用いた送信機であり、本実施形態では、使用周波数帯域として８００ＭＨｚ帯が用いられる。
【００３７】
基地局ＢＳ２は、ＯＦＤＭ受信機３１，３２と、ＭＰＥＧ２ ＴＳ多重装置１００と、ＦＭ送信機４１とを備えている。
【００３８】
ＯＦＤＭ受信機３１は、移動中継車Ｃ１から無線回線ＲＬ１２を介して送信されたＭＰＥＧ−２ ＴＳをＭＰＥＧ２ ＴＳ多重装置１００に送出する。同様に、ＯＦＤＭ受信機３２は、移動中継車Ｃ２から無線回線ＲＬ２２を介して送信されたＭＰＥＧ−２ ＴＳをＭＰＥＧ２ ＴＳ多重装置１００に送出する。
【００３９】
ＭＰＥＧ２ ＴＳ多重装置１００は、本実施形態において、“音声映像信号多重装置”を構成するものであり、複数のＭＰＥＧ−２ ＴＳを受信するとともに、当該複数のＭＰＥＧ−２ ＴＳを多重して、“多重化ＭＰＥＧ−２ ＴＳ”（多重化音声映像信号）を出力することができる。
【００４０】
ＦＭ送信機４１は、周波数変調を用いたディジタル無線送信機であり、センター基地局ＢＳ１に配備されているＦＭ受信機５１と対向する。ＦＭ送信機４１は、ＭＰＥＧ２ ＴＳ多重装置１００によって多重された“多重化ＭＰＥＧ−２ ＴＳ”をセンター基地局ＢＳ１に無線回線ＲＬ１を介して送信することができる。
【００４１】
なお、同図では図示されていないが、基地局ＢＳ３も、基地局ＢＳ２と同様のブロック構成を有している。
【００４２】
センター基地局ＢＳ１は、ＦＭ受信機５１と、ＯＦＤＭ受信機３３と、ＭＰＥＧ２ ＴＳ分離・ダイバシティ合成装置２００と、ＭＰＥＧ２復号器６１，６２とを備えている。
【００４３】
ＦＭ受信機５１は、ＦＭ送信機４１から無線回線ＲＬ１を介して送信された“多重化ＭＰＥＧ−２ ＴＳ”をＭＰＥＧ２ ＴＳ分離・ダイバシティ合成装置２００に送出する。
【００４４】
ＯＦＤＭ受信機３３は、移動中継車Ｃ１から無線回線ＲＬ１１を介して送信されたＭＰＥＧ−２ ＴＳをＭＰＥＧ２ ＴＳ分離・ダイバシティ合成装置２００に送出する。
【００４５】
ＭＰＥＧ２ ＴＳ分離・ダイバシティ合成装置２００は、ＭＰＥＧ２ ＴＳ分離部２１０と、ダイバシティ合成部２５０とを備えている。
【００４６】
ＭＰＥＧ２ ＴＳ分離部２１０は、ＭＰＥＧ２ ＴＳ多重装置１００によって多重された“多重化ＭＰＥＧ−２ ＴＳ”をＭＰＥＧ−２ ＴＳに分離するものである。具体的には、ＭＰＥＧ２ ＴＳ分離部２１０は、移動中継車Ｃ２から送信されたＭＰＥＧ−２ ＴＳを“多重化ＭＰＥＧ−２ ＴＳ”から分離して、ＭＰＥＧ２復号器６１に送出する。また、ＭＰＥＧ２ ＴＳ分離部２１０は、“多重化ＭＰＥＧ−２ ＴＳ”をダイバシティ合成部２５０に送出する。
【００４７】
ダイバシティ合成部２５０は、ＦＭ受信機５１を介して受信した“多重化ＭＰＥＧ−２ ＴＳ”に含まれている移動中継車Ｃ１から送信されたＭＰＥＧ−２ ＴＳと、ＯＦＤＭ受信機３３介して移動中継車Ｃ１から送信されたＭＰＥＧ−２ ＴＳとを合成して、ひとつのＭＰＥＧ−２ ＴＳをＭＰＥＧ２復号器６２に出力するものである。
【００４８】
ＭＰＥＧ２復号器６１，６２は、ＭＰＥＧ２ ＴＳ分離・ダイバシティ合成装置２００から出力されたＭＰＥＧ−２ ＴＳをＲＧＢ信号に復号するものである。
【００４９】
（音声映像信号多重装置の論理ブロック構成）
次に、図３を参照して、本実施形態に係る音声映像信号多重装置を構成するＭＰＥＧ２ ＴＳ多重装置１００の論理ブロック構成について説明する。
【００５０】
同図に示すように、ＭＰＥＧ２ ＴＳ多重装置１００は、ＳＴＣ生成回路１１０とＳＴＣ生成回路１５０とを備えている。なお、ＳＴＣ生成回路１１０とＳＴＣ生成回路１５０とは、同様の構成を有しているため、以下、ＳＴＣ生成回路１１０の構成について説明する。
【００５１】
ＳＴＣ生成回路１１０は、ＭＰＥＧ−２ ＴＳ ＃１（音声映像信号）に含まれるＰＣＲ（Program Clock Reference）値（第１のプログラム参照時刻情報）に基づいて、ＭＰＥＧ２ ＴＳ多重装置１００において用いられる時刻情報であるＳＴＣ（システム基準時刻）を生成するものであり、本実施形態では、システム基準時刻生成部を構成する。
【００５２】
ＳＴＣ生成回路１１０は、Ｄ／Ａ変換部１１１と、ローパスフィルタ１１２と、ＶＣＯ１１３と、ＳＴＣカウンタ１１４と、ＰＣＲローダ１１５と、ＰＣＲパケット受信間隔測定監視部１１６とから構成されている。また、ＳＴＣ生成回路１１０は、多重変換部１１７と、ＰＣＲ付加部１１８，１１９と、ＰＭＴバージョン更新部１２０とを備えている。
【００５３】
Ｄ／Ａ変換部１１１と、ローパスフィルタ１１２と、ＶＣＯ１１３とは、ＰＬＬ（Phase Locked Loop）を実現するものであり、ＭＰＥＧ２ ＴＳ多重装置１００が受信したＭＰＥＧ−２ ＴＳ ＃１に含まれるＰＣＲ値と、ＳＴＣカウンタ１１４によって生成されたＳＴＣ（System Time Clock）とを比較して、ＶＣＯ１１３の発振周波数を調整する。具体的には、ＶＣＯ１１３は、２７ＭＨｚを中心とした周波数を発振し、当該周波数のクロック信号をＳＴＣカウンタ１１４に出力する。
【００５４】
ＳＴＣカウンタ１１４は、ＰＣＲローダ１１５からロードされたＰＣＲ値に基づいて、ＳＴＣを生成し、ＳＴＣ生成回路１１０（ＭＰＥＧ２ ＴＳ多重装置１００）において用いられる時刻を計時するものである。
【００５５】
具体的には、ＳＴＣカウンタ１１４は、ＭＰＥＧ２ ＴＳ多重装置１００が受信したＭＰＥＧ−２ ＴＳ ＃１の同期確立後、最初にロードされたＰＣＲ値に基づいてＳＴＣを生成し、その後、ＶＣＯ１１３から出力される２７ＭＨｚのクロック信号にしたがってＳＴＣ生成回路１１０において用いられる時刻を計時する。
【００５６】
また、ＳＴＣカウンタ１１４は、ＰＣＲローダ１１５によってＰＣＲ値が再ロードされた場合、当該再ロードされたＰＣＲ値に基づいてＳＴＣを生成し直し、その後、ＶＣＯ１１３から出力される２７ＭＨｚのクロック信号にしたがってＳＴＣ生成回路１１０において用いられる時刻を計時する。
【００５７】
また、ＳＴＣカウンタ１１４は、計時した時刻を示す時刻情報をＰＣＲ付加部１１８に通知することができる。
【００５８】
ＰＣＲローダ１１５は、ＳＴＣ生成回路１１０が受信したＭＰＥＧ−２ ＴＳ ＃１の同期確立後、ＭＰＥＧ−２ ＴＳ ＃１に含まれるＰＣＲ値をＳＴＣカウンタ１１４にロードするものである。
【００５９】
また、ＰＣＲローダ１１５は、ＰＣＲパケット受信間隔測定監視部１１６からの指示に応じて、ＭＰＥＧ２ ＴＳ多重装置１００が受信したＭＰＥＧ−２ ＴＳ ＃１に含まれるＰＣＲ値をＳＴＣカウンタ１１４にロードすることができる。
【００６０】
ＰＣＲパケット受信間隔測定監視部１１６は、ＭＰＥＧ２ ＴＳ多重装置１００が受信したＭＰＥＧ−２ ＴＳ ＃１に含まれるＰＣＲ値の受信間隔を測定するものである。
【００６１】
ここで、図４は、ＭＰＥＧ２ ＴＳ多重装置１００が受信するＭＰＥＧ−２ ＴＳ ＃１（及び＃２）の構造を示している。図４（ａ）は、１８８バイト単位で構成されるトランスポート・パケットを示している。また、図４（ｂ）は、トランスポート・パケットの構成を示している。同図（ｂ）に示すように、トランスポート・パケットには、アダプテーション・フィールドが設けられている。さらに、図４（ｃ）は、アダプテーション・フィールドの構成を示している。同図（ｃ）に示すように、アダプテーション・フィールドには、オプショナル・フィールドが設けられている。
【００６２】
また、図４（ｄ）は、オプショナル・フィールドの構成を示している。同図（ｄ）に示すように、オプショナル・フィールド内のＰＣＲパケット（例えば、４２ビット分）を用いてＰＣＲが表示される。
【００６３】
ＰＣＲパケット受信間隔測定監視部１１６は、ＭＰＥＧ２ ＴＳ多重装置１００が受信したＭＰＥＧ−２ ＴＳ ＃１に含まれるＰＣＲパケットの受信間隔を測定する。また、ＰＣＲパケット受信間隔測定監視部１１６は、ＰＣＲパケットの受信間隔が４００ｍｓ以上となった場合、ＰＣＲローダ１１５に対して、ＰＣＲパケットの受信間隔が４００ｍｓ以上となった以降に最初に受信したＰＣＲパケットによって示されているＰＣＲ値をＳＴＣカウンタ１１４に再ロードするように指示する。
【００６４】
すなわち、ＳＴＣ生成回路１１０は、ＭＰＥＧ２ ＴＳ多重装置１００が受信したＭＰＥＧ−２ ＴＳ ＃１に含まれるＰＣＲ値の受信間隔が所定の時間以上となった場合、当該所定の時間経過後において最初に受信したＭＰＥＧ−２ ＴＳ ＃１に含まれるＰＣＲ値（第１のプログラム参照時刻情報）に基づいて、ＳＴＣ（システム基準時刻）を生成し直すことができる。
【００６５】
多重変換部１１７は、ＭＰＥＧ−２ ＴＳ ＃１及び＃２を多重して、“多重化ＭＰＥＧ−２ ＴＳ”（多重化音声映像信号）を生成するものである。なお、本実施形態では、ＭＰＥＧ−２ ＴＳ ＃１及び＃２の２本のＭＰＥＧ−２ ＴＳが多重される形態としているが、ＭＰＥＧ−２ ＴＳの多重本数は、２本以外、例えば、３本であってもよい。なお、かかる場合、ＭＰＥＧ−２ ＴＳ多重装置は、ＳＴＣ生成回路を多重本数分具備する。
【００６６】
ＰＣＲ付加部１１８は、ＳＴＣ生成回路１１０によって生成されたＳＴＣ（システム基準時刻）に基づいて、“多重化ＭＰＥＧ−２ ＴＳ”にＰＣＲ値（第２のプログラム参照時刻情報）を付加するものであり、本実施形態では、プログラム参照時刻付加部を構成する。
【００６７】
具体的には、ＰＣＲ付加部１１８は、ＳＴＣカウンタ１１４から通知されたＳＴＣに基づく時刻情報を用いて、“多重化ＭＰＥＧ−２ ＴＳ”に含まれる、ＭＰＥＧ−２ ＴＳ ＃１のＰＣＲパケットに格納されるＰＣＲ値を付け替える。
【００６８】
なお、ＰＣＲ付加部１１９は、ＳＴＣ生成回路１５０と接続されており、ＰＣＲ付加部１１８と同様の処理を実行する。つまり、ＰＣＲ付加部１１９は、多重化ＭＰＥＧ−２ ＴＳ”に含まれる、ＭＰＥＧ−２ ＴＳ ＃２のＰＣＲパケットに格納されるＰＣＲ値を付け替える。
【００６９】
ＰＭＴバージョン更新部１２０は、ＳＴＣ生成回路１１０によってＳＴＣ（システム基準時刻）が生成し直された場合、ＭＰＥＧ−２ ＴＳに含まれるプログラム（番組）に係る情報を示すＰＭＴ（Program Map Table）のバージョンを更新するものであり、本実施形態では、プログラム対応テーブル更新部を構成する。
【００７０】
具体的には、ＰＭＴバージョン更新部１２０は、ＳＴＣ生成回路１１０によってＳＴＣ（システム基準時刻）が生成し直された場合、ＰＭＴのバージョン番号をインクリメントすることができる。なお、ＰＭＴバージョン更新部１２０は、ＳＴＣ生成回路１１０によってＳＴＣ（システム基準時刻）が生成し直された場合であっても、ＰＭＴのバージョン番号をインクリメントしなくてもよい。
【００７１】
（音声映像信号多重装置の動作）
次に、図５を参照して、本実施形態に係る音声映像信号多重装置を構成するＭＰＥＧ２ ＴＳ多重装置１００の動作について説明する。
【００７２】
同図に示すように、ステップＳ１１０において、ＭＰＥＧ２ ＴＳ多重装置１００は、ＭＰＥＧ２ ＴＳ多重装置１００が受信したＭＰＥＧ−２ ＴＳの同期確立後、最初に受信したＰＣＲパケットに基づいて、ＰＣＲ値をＳＴＣカウンタ（ＳＴＣカウンタ１１４）にロードする。
【００７３】
ステップＳ１２０において、ＭＰＥＧ２ ＴＳ多重装置１００は、ＭＰＥＧ−２ ＴＳに含まれるＰＣＲパケットの受信間隔を測定する。
【００７４】
ステップＳ１３０において、ＭＰＥＧ２ ＴＳ多重装置１００は、ＰＣＲパケットの受信間隔が４００ｍｓ以上であるか否かを判定する。
【００７５】
ＰＣＲパケットの受信間隔が４００ｍｓ以上でない場合（ステップＳ１３０のＮｏ）、ＭＰＥＧ２ ＴＳ多重装置１００は、ステップＳ１２０の処理に移行し、次に受信するＰＣＲパケットと、直前に受信したＰＣＲパケットとの受信間隔を引き続き測定する。
【００７６】
一方、ＰＣＲパケットの受信間隔が４００ｍｓ以上である場合（ステップＳ１３０のＹｅｓ）、ＭＰＥＧ２ ＴＳ多重装置１００は、ステップＳ１１０の処理に移行し、次に受信するＰＣＲパケットに基づいて、ＰＣＲ値をＳＴＣカウンタ（ＳＴＣカウンタ１１４）に再ロードする。
【００７７】
なお、ＭＰＥＧ２ ＴＳ多重装置１００は、ＰＣＲ値をＳＴＣカウンタ（ＳＴＣカウンタ１１４）に再ロードした場合、ＰＭＴのバージョンをインクリメント（更新）してもよい。
【００７８】
また、本実施形態では、ＰＣＲパケットの受信間隔が４００ｍｓ以上である場合に、ＰＣＲ値をＳＴＣカウンタ（ＳＴＣカウンタ１１４）に再ロードする形態としているが、受信間隔は、４００ｍｓと異なる値であってもよい。さらに、ＭＰＥＧ２ ＴＳ多重装置１００は、当該受信間隔を、使用される環境に応じてユーザが適宜変更できるような機能を具備してもよい。
【００７９】
（作用・効果）
以上説明した本実施形態に係る音声映像信号多重装置であるＭＰＥＧ２ ＴＳ多重装置１００によれば、受信したＭＰＥＧ−２ ＴＳに含まれるＰＣＲパケットの受信間隔が４００ｍｓ以上となった場合、当該４００ｍｓ経過後において最初に受信したＰＣＲパケットによって示されるＰＣＲ値に基づいて、ＳＴＣが生成し直されるため、ＰＣＲ値の変動によって、ＭＰＥＧ２復号器６１やＭＰＥＧ２ ＴＳ多重装置１００が正常に動作できなくなることが防止される。
【００８０】
つまり、スタジオ内など、通信状況が安定している場所での使用を想定した従来の音声映像信号多重装置では、例えば、番組の切替時など、受信したＭＰＥＧ−２ ＴＳに含まれるＰＭＴ（Program Map Table）のバージョンを変更した際に、ＳＴＣカウンタにＰＣＲ値が再ロードされるのみであるため、野外番組の中継など、ＰＣＲ値が大幅に変動すると、多重化された“多重化ＭＰＥＧ−２ ＴＳ”にＰＣＲ値を正常に付加することができなくなり、ＭＰＥＧ２復号器６１などが動作不能となるといった問題があったが、ＭＰＥＧ２ ＴＳ多重装置１００によれば、このような問題が解決される。
【００８１】
また、ＭＰＥＧ２ ＴＳ多重装置１００によれば、ＳＴＣが生成し直されるタイミングが、第１のＰＣＲパケットの受信間隔が所定の時間（４００ｍｓ）以上となった場合のみであるため、ＳＴＣの生成し直しによって、ＭＰＥＧ−２ ＴＳの瞬断が無闇に発生することが抑制される。
【００８２】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００８３】
例えば、本発明は、以下のように変更することができる。図６は、本発明の変更例に係る音声映像信号多重装置を構成するＭＰＥＧ２信号多重装置１００’の論理ブロック構成を示している。ＭＰＥＧ２信号多重装置１００’は、ＭＰＥＧ２ ＴＳ多重装置１００に代えて、図２に示した中継システムにおいて用いることができる。
【００８４】
ＭＰＥＧ２信号多重装置１００’は、ＭＰＥＧ２ ＴＳ多重装置１００が備えていたＳＴＣ生成回路１１０及びＳＴＣ生成回路１５０に代えて、ＳＴＣ生成回路１１０’及びＳＴＣ生成回路１５０’を備えている。なお、ＳＴＣ生成回路１１０’とＳＴＣ生成回路１５０’とは、同様の構成を有しているため、以下、ＳＴＣ生成回路１１０’の構成について、上述したＭＰＥＧ２ ＴＳ多重装置１００と異なる部分を主として説明する。
【００８５】
ＳＴＣ生成回路１１０’は、ＭＰＥＧ−２ ＴＳ ＃１（音声映像信号）に含まれるＰＣＲ（Program Clock Reference）値（第１のプログラム参照時刻情報）に基づいて、ＭＰＥＧ２信号多重装置１００’において用いられる時刻情報であるＳＴＣ（システム基準時刻）を生成するものであり、本変更例では、システム基準時刻生成部を構成する。
【００８６】
また、ＳＴＣ生成回路１１０’は、ＳＴＣ生成回路１１０が備えていたＰＣＲパケット受信間隔測定監視部１１６（図３参照）に代えて、ＰＣＲ／ＳＴＣ測定監視部１１６’を備えている。
【００８７】
ＰＣＲ／ＳＴＣ測定監視部１１６’は、ＭＰＥＧ−２ ＴＳ ＃１に含まれるＰＣＲ値と、ＳＴＣカウンタ１１４によって計時される時刻の値との差（以下、“ＰＣＲ／ＳＴＣ差”という）を測定するものである。また、ＰＣＲ／ＳＴＣ測定監視部１１６’は、“ＰＣＲ／ＳＴＣ差”が、１０μｓ以上となった場合、ＰＣＲローダ１１５に対して、“ＰＣＲ／ＳＴＣ差”が、１０μｓ以上となった以降に最初に受信したＰＣＲパケットによって示されているＰＣＲ値をＳＴＣカウンタ１１４に再ロードするように指示する。
【００８８】
すなわち、ＳＴＣ生成回路１１０’は、“ＰＣＲ／ＳＴＣ差”が所定の閾値以上となった場合、当該所定の閾値以上となった後において最初に受信したＭＰＥＧ−２ ＴＳ ＃１に含まれるＰＣＲ値（第１のプログラム参照時刻情報）に基づいて、ＳＴＣ（システム基準時刻）を生成し直すことができる。
【００８９】
また、ＳＴＣ生成回路１１０’は、“ＰＣＲ／ＳＴＣ差”が１０μｓ以上となった回数が、連続して４回以上となった場合、当該４回以上となった後において最初に受信したＭＰＥＧ−２ ＴＳ ＃１に含まれるＰＣＲ値（第１のプログラム参照時刻情報）に基づいて、ＳＴＣ（システム基準時刻）を生成し直すことができる。
【００９０】
具体的には、ＰＣＲ／ＳＴＣ測定監視部１１６’は、“ＰＣＲ／ＳＴＣ差”が１０μｓ以上となった回数が連続して４回以上となった場合、ＰＣＲローダ１１５に対して、“ＰＣＲ／ＳＴＣ差”が１０μｓ以上となった回数が連続して４回以上となった以降に最初に受信したＰＣＲパケットによって示されているＰＣＲ値をＳＴＣカウンタ１１４に再ロードするように指示する。
【００９１】
次に、図７を参照して、上述したＭＰＥＧ２信号多重装置１００’の動作について説明する。
【００９２】
同図に示すように、ステップＳ２１０において、ＭＰＥＧ２信号多重装置１００’は、ＭＰＥＧ２信号多重装置１００’が受信したＭＰＥＧ−２ ＴＳの同期確立後、最初に受信したＰＣＲパケットに基づいて、ＰＣＲ値をＳＴＣカウンタ（ＳＴＣカウンタ１１４）にロードする。
【００９３】
ステップＳ２２０において、ＭＰＥＧ２信号多重装置１００’は、ＭＰＥＧ−２ ＴＳに含まれるＰＣＲパケットによって示されるＰＣＲ値と、ＳＴＣカウンタ１１４によって計時される時刻の値を取得する。
【００９４】
ステップＳ２３０において、取得したＰＣＲ値及びＳＴＣカウンタ１１４によって計時される時刻の値の差、すなわち、“ＰＣＲ／ＳＴＣ差”を測定する。
【００９５】
ステップＳ２４０において、ＭＰＥＧ２信号多重装置１００’は“ＰＣＲ／ＳＴＣ差”が１０μｓ以上であるか否かを判定する。
【００９６】
“ＰＣＲ／ＳＴＣ差”が１０μｓ以上でない場合（ステップＳ２４０のＮｏ）、ＭＰＥＧ２信号多重装置１００’は、ステップＳ２２０の処理に移行し、次に受信するＰＣＲパケットと、ＳＴＣカウンタ１１４によって計時される時刻の値とを引き続き取得する。
【００９７】
一方、“ＰＣＲ／ＳＴＣ差”が１０μｓ以上である場合（ステップＳ２４０のＹｅｓ）、ステップＳ２５０において、ＭＰＥＧ２信号多重装置１００’は、４回連続して“ＰＣＲ／ＳＴＣ差”が１０μｓ以上であるか否かを判定する。
【００９８】
４回連続して“ＰＣＲ／ＳＴＣ差”が１０μｓ以上である場合（ステップＳ２５０のＹｅｓ）、ＭＰＥＧ２信号多重装置１００’は、ステップＳ２１０の処理に移行し、次に受信するＰＣＲパケットに基づいて、ＰＣＲ値をＳＴＣカウンタ（ＳＴＣカウンタ１１４）に再ロードする。
【００９９】
一方、“ＰＣＲ／ＳＴＣ差”が１０μｓ以上となった回数が連続４回未満の場合（ステップＳ２５０のＮｏ）、ＭＰＥＧ２信号多重装置１００’は、ステップＳ２２０の処理に移行し、次に受信するＰＣＲパケットと、ＳＴＣカウンタ１１４によって計時される時刻の値とを引き続き取得する。
【０１００】
なお、ＭＰＥＧ２ ＴＳ多重装置１００は、ＰＣＲ値をＳＴＣカウンタ（ＳＴＣカウンタ１１４）に再ロードした場合、ＰＭＴのバージョンをインクリメント（更新）してもよい。
【０１０１】
また、本変更例では、４回連続して“ＰＣＲ／ＳＴＣ差”が１０μｓ以上である場合に、ＰＣＲ値をＳＴＣカウンタ（ＳＴＣカウンタ１１４）に再ロードする形態としているが、“ＰＣＲ／ＳＴＣ差”の値は、１０μｓと異なる値であってもよい。さらに、ＰＣＲ値がＳＴＣカウンタに再ロードされるまでに計数される、“ＰＣＲ／ＳＴＣ差”が１０μｓ以上である回数は、４回と異なる値であってもよい。また、ＭＰＥＧ２信号多重装置１００’は、“ＰＣＲ／ＳＴＣ差”の値及び当該回数の値を、使用される環境に応じてユーザが適宜変更できるような機能を具備してもよい。
【０１０２】
また、本変更例では、４回連続して“ＰＣＲ／ＳＴＣ差”が１０μｓ以上である場合に、ＰＣＲ値をＳＴＣカウンタに再ロードする形態としているが、当該回数を計数せずに、“ＰＣＲ／ＳＴＣ差”が１０μｓ以上である場合、ＰＣＲ値をＳＴＣカウンタに再ロードする形態としてもよい。
【０１０３】
上述したＭＰＥＧ２信号多重装置１００’によれば、“ＰＣＲ／ＳＴＣ差”が１０μｓ以上となった回数が連続して４回以上となった場合、当該４回以上となった後において最初に受信したＰＣＲパケットによって示されるＰＣＲ値に基づいて、ＳＴＣが生成し直される。
【０１０４】
このため、上述したＭＰＥＧ２ ＴＳ多重装置１００と比較して、特に、ＭＰＥＧ２信号多重装置１００’の動作不能を防止しつつ、ＳＴＣが生成し直される回数をさらに低減させることができる。
【０１０５】
さらに、上述した本発明の実施形態では、ＭＰＥＧ−２を例として説明したが、本発明の適用範囲は、ＭＰＥＧ−２に限定されるものと解すべきではない。すなわち、本発明は、音声映像信号に含まれる時刻情報であるプログラム参照時刻情報、及び多重装置において用いられる時刻情報であるシステム基準時刻情報に基づいて動作する多重装置に適用することができる。
【図面の簡単な説明】
【０１０６】
【図１】本発明の実施形態に係る野外番組の中継システムの構成例を示す図である。
【図２】本発明の実施形態に係る野外番組の中継システムの概略ブロック構成を示す図である。
【図３】本発明の実施形態に係る音声映像信号多重装置の論理ブロック構成を示す図である。
【図４】本発明の実施形態に係る音声映像信号多重装置において多重される音声映像信号の構造を示す図である。
【図５】本発明の実施形態に係る音声映像信号多重装置の動作フローを示す図である。
【図６】本発明の変更例に係る音声映像信号多重装置の論理ブロック構成を示す図である。
【図７】本発明の変更例に係る音声映像信号多重装置の動作フローを示す図である。
【符号の説明】
【０１０７】
１００，１００’…ＭＰＥＧ２ ＴＳ多重装置、１１，１２…ＭＰＥＧ２符号化器、２１，２２…ＯＦＤＭ送信機、３１，３２，３３…ＯＦＤＭ受信機、４１…ＦＭ送信機、５１…ＦＭ受信機、６１，６２…ＭＰＥＧ２復号器、１１０，１１０’…ＳＴＣ生成回路、１１１…Ｄ／Ａ変換部、１１２…ローパスフィルタ、１１３…ＶＣＯ、１１４…ＳＴＣカウンタ、１１５…ＰＣＲローダ、１１６…ＰＣＲパケット受信間隔測定監視部、１１６’…ＰＣＲ／ＳＴＣ測定監視部、１１７…多重変換部、１１８，１１９…ＰＣＲ付加部、１５０，１５０’…ＳＴＣ生成回路、２００…ＭＰＥＧ２ ＴＳ分離・ダイバシティ合成装置、２１０…ＭＰＥＧ２ ＴＳ分離部、２５０…ダイバシティ合成部、ＢＳ１…センター基地局、ＢＳ２，ＢＳ３…基地局、Ｃ１，Ｃ２…移動中継車ＣＵ…コース、ＣＶ１，ＣＶ２，ＣＶ３ａ，ＣＶ３ｂ…カバレッジ、ＲＬ１，ＲＬ２，ＲＬ１１，ＲＬ１２，ＲＬ２１，ＲＬ２２…無線回線、ＳＤ…スタジアム、ＳＴ…放送局、ＴＷ…送信タワー
【図１】
2005217659.tif 000003
【図２】
2005217659.tif 000004
【図３】
2005217659.tif 000005
【図４】
2005217659.tif 000006
【図５】
2005217659.tif 000007
【図６】
2005217659.tif 000008
【図７】
2005217659.tif 000009